(57)【要約】【課題】媒体に筆記するユーザが意識していなくても、筆記情報の属性を決定できるようにする。【解決手段】文書サーバ２０では、受信部２１が、筆記情報に付与するペン先属性を受信すると、画像合成部２７が、媒体の識別情報、媒体上の位置情報、ペン先属性を示す付加情報を表す符号画像と、文書画像生成部２６により生成された電子文書の文書画像とを合成して合成画像を生成し、送信部２９が、合成画像の印刷命令を画像形成装置に送信する。一方で、受信部２１が、識別情報、筆記情報、付加情報を受信すると、筆記情報登録部２３が、識別情報によって特定される電子文書と、付加情報によって示されるペン先属性とに関連付けた状態で、筆記情報を筆記情報記憶部２４に記憶する。【選択図】図３
2008181173.tif 000002
【特許請求の範囲】
【請求項１】
媒体に対する筆記の内容を電子化した筆記情報を取得する第１の取得手段と、
前記媒体に埋め込まれた埋め込み情報を取得する第２の取得手段と、
前記第１の取得手段により取得された前記筆記情報の属性を、前記第２の取得手段により取得された前記埋め込み情報に応じて決定する決定手段と、
前記決定手段により決定された前記属性に関連付けて、前記筆記情報を記憶する記憶手段と
を備えたことを特徴とする筆記情報処理装置。
【請求項２】
前記第２の取得手段は、前記筆記情報に付与すべき属性を表す情報を前記埋め込み情報として取得することを特徴とする請求項１記載の筆記情報処理装置。
【請求項３】
前記第２の取得手段は、前記媒体上の前記筆記がなされた位置を特定する位置情報を前記埋め込み情報として取得し、
前記決定手段は、前記第１の取得手段により取得された前記筆記情報の属性を、前記媒体上の各位置における筆記情報に付与すべき属性の定義と、前記第２の取得手段により取得された前記位置情報とに基づいて、決定することを特徴とする請求項１記載の筆記情報処理装置。
【請求項４】
媒体に対する筆記の内容を電子化した筆記情報を取得する第１の取得手段と、
前記媒体に対する前記筆記において用いられたデジタルペンを識別するペン情報を取得する第２の取得手段と、
前記第１の取得手段により取得された前記筆記情報の属性を、前記第２の取得手段により取得された前記ペン情報に応じて決定する決定手段と、
前記決定手段により決定された前記属性に関連付けて、前記筆記情報を記憶する記憶手段と
を備えたことを特徴とする筆記情報処理装置。
【請求項５】
前記媒体上の前記筆記がなされた位置を特定する位置情報を取得する第３の取得手段を更に備え、
前記決定手段は、前記第１の取得手段により取得された前記筆記情報の属性を、前記第３の取得手段により取得された前記位置情報に応じて決定することを特徴とする請求項４記載の筆記情報処理装置。
【請求項６】
媒体上の位置、及び、当該位置に対する筆記の内容を電子化した筆記情報に付与する属性を決定するための位置属性の指定を受け付ける受付手段と、
前記受付手段が指定を受け付けた前記媒体上の位置と前記位置属性との対応情報を生成する生成手段と
を備えたことを特徴とする情報生成装置。
【請求項７】
前記受付手段は、前記媒体上の位置に対する筆記の内容を電子化した筆記情報に付与すべき属性の指定を、前記位置属性の指定として受け付けることを特徴とする請求項６記載の情報生成装置。
【請求項８】
前記受付手段は、前記媒体上の位置に対する筆記の内容を電子化した筆記情報に付与すべき属性に予め関連付けられた当該位置の意味付けの指定を、前記位置属性の指定として受け付けることを特徴とする請求項６記載の情報生成装置。
【請求項９】
コンピュータに、
媒体に対する筆記の内容を電子化した筆記情報を取得する機能と、
前記媒体に埋め込まれた埋め込み情報を取得する機能と、
前記筆記情報の属性を前記埋め込み情報に応じて決定する機能と、
決定された前記属性に関連付けて、前記筆記情報を所定の記憶手段に記憶する機能と
を実現させるためのプログラム。
【請求項１０】
コンピュータに、
媒体に対する筆記の内容を電子化した筆記情報を取得する機能と、
前記媒体に対する前記筆記において用いられたデジタルペンを識別するペン情報を取得する機能と、
前記筆記情報の属性を前記ペン情報に応じて決定する機能と、
決定された前記属性に関連付けて、前記筆記情報を所定の記憶手段に記憶する機能と
を実現させるためのプログラム。
【発明の詳細な説明】
【技術分野】
【０００１】
本発明は、筆記情報処理装置、情報生成装置、プログラムに関する。
【背景技術】
【０００２】
プリントアウト表面を手動で編集することにより、電子的に記憶された文書に変更を加える技術が知られている(例えば、特許文献１参照)。この特許文献１の技術では、まず、電子的に記憶された文書を、位置コーディングパターンを備えた表面に印刷する。次に、位置コーディングパターン読取り手段を備えたデジタルペンと表面にマーキングを付けるペンポイントとでプリントアウト表面を手動で編集する。すると、このマーキングがコンピュータに転送され、コンピュータ内で解釈され、この解釈に基づいて記憶済み文書に変更が加えられる。
【０００３】
【特許文献１】特表２００３−５２８３８８号公報
【発明の開示】
【発明が解決しようとする課題】
【０００４】
ここで、デジタルペンのペン先の属性、即ち、デジタルペンによる筆記の内容を電子化した筆記情報の属性(例えば、色、線の太さ等)を変更する場合、従来は、ユーザが、変更が必要になる都度、所定の操作を行うことにより、そのような変更を実施していた。しかしながら、ユーザが筆記情報の属性を変更する方法では、そもそも属性を変更する操作が煩雑であるし、ユーザが属性を変更するのを忘れてしまうと、ユーザが望まない色や線の太さ等で筆記情報が登録されてしまうといった課題があった。
【０００５】
本発明の目的は、媒体に筆記するユーザが意識していなくても、筆記情報の属性を決定できるようにすることにある。
【課題を解決するための手段】
【０００６】
請求項１に記載の発明は、
媒体に対する筆記の内容を電子化した筆記情報を取得する第１の取得手段と、
前記媒体に埋め込まれた埋め込み情報を取得する第２の取得手段と、
前記第１の取得手段により取得された前記筆記情報の属性を、前記第２の取得手段により取得された前記埋め込み情報に応じて決定する決定手段と、
前記決定手段により決定された前記属性に関連付けて、前記筆記情報を記憶する記憶手段と
を備えたことを特徴とする筆記情報処理装置である。
請求項２に記載の発明は、
前記第２の取得手段は、前記筆記情報に付与すべき属性を表す情報を前記埋め込み情報として取得することを特徴とする請求項１記載の筆記情報処理装置である。
請求項３に記載の発明は、
前記第２の取得手段は、前記媒体上の前記筆記がなされた位置を特定する位置情報を前記埋め込み情報として取得し、
前記決定手段は、前記第１の取得手段により取得された前記筆記情報の属性を、前記媒体上の各位置における筆記情報に付与すべき属性の定義と、前記第２の取得手段により取得された前記位置情報とに基づいて、決定することを特徴とする請求項１記載の筆記情報処理装置である。
請求項４に記載の発明は、
媒体に対する筆記の内容を電子化した筆記情報を取得する第１の取得手段と、
前記媒体に対する前記筆記において用いられたデジタルペンを識別するペン情報を取得する第２の取得手段と、
前記第１の取得手段により取得された前記筆記情報の属性を、前記第２の取得手段により取得された前記ペン情報に応じて決定する決定手段と、
前記決定手段により決定された前記属性に関連付けて、前記筆記情報を記憶する記憶手段と
を備えたことを特徴とする筆記情報処理装置である。
請求項５に記載の発明は、
前記媒体上の前記筆記がなされた位置を特定する位置情報を取得する第３の取得手段を更に備え、
前記決定手段は、前記第１の取得手段により取得された前記筆記情報の属性を、前記第３の取得手段により取得された前記位置情報に応じて決定することを特徴とする請求項４記載の筆記情報処理装置である。
請求項６に記載の発明は、
媒体上の位置、及び、当該位置に対する筆記の内容を電子化した筆記情報に付与する属性を決定するための位置属性の指定を受け付ける受付手段と、
前記受付手段が指定を受け付けた前記媒体上の位置と前記位置属性との対応情報を生成する生成手段と
を備えたことを特徴とする情報生成装置である。
請求項７に記載の発明は、
前記受付手段は、前記媒体上の位置に対する筆記の内容を電子化した筆記情報に付与すべき属性の指定を、前記位置属性の指定として受け付けることを特徴とする請求項６記載の情報生成装置である。
請求項８に記載の発明は、
前記受付手段は、前記媒体上の位置に対する筆記の内容を電子化した筆記情報に付与すべき属性に予め関連付けられた当該位置の意味付けの指定を、前記位置属性の指定として受け付けることを特徴とする請求項６記載の情報生成装置である。
請求項９に記載の発明は、
コンピュータに、
媒体に対する筆記の内容を電子化した筆記情報を取得する機能と、
前記媒体に埋め込まれた埋め込み情報を取得する機能と、
前記筆記情報の属性を前記埋め込み情報に応じて決定する機能と、
決定された前記属性に関連付けて、前記筆記情報を所定の記憶手段に記憶する機能と
を実現させるためのプログラムである。
請求項１０に記載の発明は、
コンピュータに、
媒体に対する筆記の内容を電子化した筆記情報を取得する機能と、
前記媒体に対する前記筆記において用いられたデジタルペンを識別するペン情報を取得する機能と、
前記筆記情報の属性を前記ペン情報に応じて決定する機能と、
決定された前記属性に関連付けて、前記筆記情報を所定の記憶手段に記憶する機能と
を実現させるためのプログラムである。
【発明の効果】
【０００７】
請求項１の発明は、媒体に筆記するユーザが意識していなくても、筆記情報の属性を決定することができるという効果を有する。
請求項２の発明は、媒体から得られた情報のみに基づいて筆記情報の属性を決定することができるという効果を有する。
請求項３の発明は、特別な情報を媒体に埋め込まなくても筆記情報の属性を決定することができるという効果を有する。
請求項４の発明は、媒体に筆記するユーザが意識していなくても、筆記情報の属性を決定することができるという効果を有する。
請求項５の発明は、媒体上の筆記した位置に応じて筆記情報の属性を決定することができるという効果を有する。
請求項６の発明は、特別な情報を媒体に埋め込まなくても筆記情報の属性を決定できるようになるという効果を有する。
請求項７の発明は、本構成を有していない場合に比較して、そのような筆記情報の属性の決定が迅速に行えるようになるという効果を有する。
請求項８の発明は、本構成を有していない場合に比較して、そのような筆記情報の属性の決定が柔軟に行えるようになるという効果を有する。
請求項９の発明は、媒体に筆記するユーザが意識していなくても、筆記情報の属性を決定することができるという効果を有する。
請求項１０の発明は、媒体に筆記するユーザが意識していなくても、筆記情報の属性を決定することができるという効果を有する。
【発明を実施するための最良の形態】
【０００８】
以下、添付図面を参照して、本発明を実施するための最良の形態(以下、「実施の形態」という)について詳細に説明する。
まず、本実施の形態におけるコンピュータシステムの全体構成について説明する。
図１は、本実施の形態のコンピュータシステムの構成例を示したものである。
図示するように、このコンピュータシステムは、端末装置１０と、文書サーバ２０と、識別情報サーバ３０と、画像形成装置４０と、端末装置５０とがネットワーク８０に接続されることにより構成されている。また、端末装置５０には、デジタルペン６０が通信装置７０を介して接続されている。
【０００９】
端末装置１０は、文書サーバ２０に対して電子文書の印刷を要求するコンピュータ装置である。ここで、端末装置１０としては、例えば、パーソナルコンピュータやワークステーション、その他のコンピュータを用いるとよい。
文書サーバ２０は、電子文書を記憶し管理するコンピュータ装置である。また、端末装置１０から電子文書の印刷要求があると、電子文書の画像と、識別情報及び位置情報を表す符号画像とを生成し、これらを合成した合成画像を媒体に印刷する印刷命令を画像形成装置４０に対して出力する。この場合、識別情報とは、媒体を一意に特定するための情報であり、位置情報とは、媒体上の座標位置を特定するための情報である。ここで、文書サーバ２０としては、例えば、パーソナルコンピュータやワークステーション、その他のコンピュータを用いるとよい。
【００１０】
識別情報サーバ３０は、媒体に付与する識別情報を発行するコンピュータ装置である。そして、発行した識別情報を、その識別情報が付与される媒体に印刷される電子文書と関連付けて記憶する。ここで、識別情報サーバ３０としては、例えば、パーソナルコンピュータやワークステーション、その他のコンピュータを用いるとよい。
画像形成装置４０は、媒体に画像を印刷し、印刷文書として出力する装置である。この画像形成装置４０は、単体のプリンタや印刷機であってもよいし、他にスキャナや通信の機能を備えた所謂複合機であってもよい。ここで、画像形成装置４０における画像形成方式としては、例えば、電子写真方式を用いるとよいが、その他の方式を用いてもよい。
【００１１】
端末装置５０は、印刷文書に対する筆記を電子化した情報(以下、「筆記情報」という)を、印刷文書に記録された画像の元となる電子文書に反映させるために文書サーバ２０に送信するコンピュータ装置である。また、筆記情報を反映する対象の電子文書を図示しないディスプレイに表示し、その上に筆記情報を重ねて表示するようにしてもよい。ここで、端末装置５０としては、例えば、パーソナルコンピュータやワークステーション、その他のコンピュータを用いるとよい。
デジタルペン６０は、印刷文書上に文字又は図形を筆記するために用いられるペンデバイスである。また、媒体に印刷された符号画像を読み取る撮像素子を備える。そして、撮像素子で読み取った符号画像から位置情報を検出し、筆記した文字又は図形をイメージデータ化した筆記情報をこの位置情報に基づいて生成し記憶する。
通信装置７０は、デジタルペン６０から筆記情報を取得して端末装置５０に送信する装置である。例えば、デジタルペン６０を差し込む差込口を設け、この差込口にデジタルペン６０が差し込まれると、デジタルペン６０に記憶された筆記情報を端末装置５０に送信するようにするとよい。ここで、端末装置５０との間の通信の方式としては、ＵＳＢ(Universal Serial Bus)、Ｂｌｕｅｔｏｏｔｈ(登録商標)、赤外線通信機能等、種々の方式が考えられる。また、図では、通信装置７０をデジタルペン６０と別体のものとして示しているが、必ずしも別体である必要はなく、一体に構成してもよい。
【００１２】
尚、本明細書では、媒体に記録する画像の元となる電子データを「電子文書」と表記するが、これは、テキストを含む「文書」を電子化したデータのみを意味するものではない。例えば、絵、写真、図形等の画像データ(ラスタデータかベクターデータかによらない)、データベース管理ソフトウェアや表計算ソフトウェアで記録されるデータ、その他の印刷可能な電子データも含めて「電子文書」としている。
また、本明細書において、「媒体」は、画像を印刷可能な媒体であれば、その材質は問わない。代表例は紙であるが、ＯＨＰシートや金属板等であっても構わない。
更に、本明細書では、電子文書、媒体、更にはデジタルペン６０について、それぞれを一意に識別するための識別情報を用いて処理を行うが、単に「識別情報」というときは、このうち、媒体の識別情報を意味するものとする。
【００１３】
ところで、本実施の形態では、媒体への記述内容を電子化した筆記情報に対し、その属性の一例であるペン種、即ち、デジタルペン６０のペン先の属性(以下、「ペン先属性」という)をユーザが意識することなく設定するために、媒体の作成時に、媒体上の各領域に最適なペン先属性を設定するようにしている。そして、デジタルペン６０でその領域に筆記がなされると、その領域に設定されたペン先属性により筆記情報を記録するようにしている。
【００１４】
図２に、このような筆記情報の記録の概略動作について示す。本実施の形態は、デジタルペン６０のペン先属性を変更する場合に、例えば、専用のパレット紙にチェックをするような操作を行うことなく、デジタル記録される際のペン種の変更を実施するものである。
このうち、図２(ａ)は、媒体上の領域によって、ペン先属性を決定する場合の例である。
例えば、図の左側に示した媒体４０１において、領域４０２に「赤太字」のペン先属性が指定され、領域４０３に「青細字」のペン先属性が指定されているとする。このとき、図の中央に示すように、同じデジタルペン６０を用いて、媒体４０１の領域４０２及び４０３に手書きをする。すると、ユーザが意識しなくとも、媒体上のペン先属性の指定に従って筆記情報のペン先属性が変更され、図の右側に示すような状態でデジタル記録される。即ち、領域４０２に対しては、「赤太字」の属性を有する文字データ２４２が記録され、領域４０３に対しては、「青細字」の属性を有する文字データ２４３が記録される。
【００１５】
また、図２(ｂ)は、媒体上の領域とデジタルペン６０のタイプ(以下、「ペンタイプ」という)の組み合わせによって、ペン先属性を決定する場合の例である。
例えば、図の左側に示した媒体の領域４０４に領域属性「解答欄」が指定されているとする。また、学生はペンタイプ「Ａ」のデジタルペン６０ａを、教師はペンタイプ「Ｂ」のデジタルペン６０ｂを所持しており、図の中央に示すように、領域４０４にデジタルペン６０ａとデジタルペン６０ｂとで記述したとする。このとき、図の右側に示すように、デジタルペン６０ａによる記述に対しては、「黒字」の属性を有する文字データ２４４ａが記録され、デジタルペン６０ｂによる記述に対しては、「赤字」の属性を有する文字データ２４４ｂが記録される。
【００１６】
以下、このような概略動作を行う本実施の形態について、具体的に説明する。ここでは、図２の概略動作のうち、(ａ)の動作を行う実施の形態を第１の実施の形態として、(ｂ)の動作を行う実施の形態を第２の実施の形態として説明する。
尚、本明細書では、デジタルペン６０で筆記を行う対象を印刷文書として説明するが、電子文書を印刷することなく白紙に符号画像のみを印刷した媒体をデジタルペン６０による筆記の対象としてもよい。
【００１７】
＜第１の実施の形態＞
本実施の形態では、前述した通り、印刷文書上の領域の違いでペン先属性を決定する。具体的には、文書サーバ２０が、印刷文書の出力時に印刷文書に対してペン先属性の設定を行い、印刷文書に対して筆記がなされた際にその設定に基づいてペン先属性を決定する。
このように、本実施の形態では、文書サーバ２０が中心となって動作するので、まず、文書サーバ２０の構成について説明する。
【００１８】
図３は、文書サーバ２０の機能構成例を示したブロック図である。
図示するように、文書サーバ２０は、受信部２１と、識別情報取得部２２と、筆記情報登録部２３と、筆記情報記憶部２４とを備える。また、識別符号生成部２５ａと、位置符号生成部２５ｂと、符号配置部２５ｃと、パターン画像記憶部２５ｄと、符号画像生成部２５ｅと、付加符号生成部２５ｆとを備える。更に、文書画像生成部２６と、画像合成部２７と、送信部２９とを備える。
【００１９】
受信部２１は、端末装置１０から印刷要求を受信する。ここで、印刷要求には、印刷対象となる電子文書の識別情報(以下、「文書ＩＤ」という)と、印刷に関する各種設定(以下、「印刷設定」という)とが含まれる。また、受信部２１は、識別情報サーバ３０から識別情報を受信する。更に、印刷文書に対する筆記がなされた際には、デジタルペン６０から、印刷文書に埋め込まれた識別情報と、印刷文書に対する筆記の内容を電子化した筆記情報と、印刷文書に付加的に埋め込まれた付加情報とを受信する。ここで、本実施の形態において、付加情報とは、印刷文書上の領域ごとの筆記情報に付与する属性を表す情報である。尚、本実施の形態では、媒体に埋め込まれた埋め込み情報の一例として付加情報を採用している。また、筆記情報を取得する第１の取得手段、及び、埋め込み情報を取得する第２の取得手段の一例として、受信部２１を設けている。
【００２０】
識別情報取得部２２は、受信部２１から文書ＩＤ及び印刷設定を取得し、これを送信部２９に渡して識別情報の発行要求の送信を指示すると共に、これを文書画像生成部２６に渡して文書画像の生成を指示する。また、受信部２１から識別情報を取得し、これを識別符号生成部２５ａに渡して識別符号の生成を指示する。
筆記情報登録部２３は、受信部２１が受信した筆記情報を文書ＩＤに関連付けて登録する。その際、受信部２１が受信した付加情報が表す属性も筆記情報に関連付けて記憶する。尚、本実施の形態では、筆記情報の属性を埋め込み情報に応じて決定する決定手段の一例として、筆記情報登録部２３を設けている。
筆記情報記憶部２４は、筆記情報登録部２３によって登録される筆記情報を記憶する。尚、本実施の形態では、筆記情報を属性に関連付けて記憶する記憶手段の一例として、筆記情報記憶部２４を設けている。
【００２１】
識別符号生成部２５ａは、媒体を特定する識別情報を符号化して識別符号を生成する。
位置符号生成部２５ｂは、媒体上の座標位置を示す位置情報を符号化して位置符号を生成する。
符号配置部２５ｃは、識別符号生成部２５ａにて生成された識別符号や、位置符号生成部２５ｂにて生成された位置符号等を所定のレイアウトに従って２次元平面に配置し２次元の符号配列を生成する。
パターン画像記憶部２５ｄは、符号配列に格納される各符号の符号値に対応するパターン画像を記憶する。
符号画像生成部２５ｅは、符号配置部２５ｃが生成した２次元の符号配列を参照し、各符号値に対応したパターン画像を選択して符号画像を生成する。
付加符号生成部２５ｆは、識別情報及び位置情報以外の付加的な情報である付加情報を符号化して付加符号を生成する。
【００２２】
文書画像生成部２６は、識別情報取得部２２から文書ＩＤ及び印刷設定を取得し、この文書ＩＤで特定される電子文書を図示しない記憶手段から読み出し、印刷設定に従ってその電子文書の文書画像を生成する。
画像合成部２７は、符号画像生成部２５ｅが生成した符号画像と、文書画像生成部２６が生成した文書画像とを合成し、合成画像を生成する。
送信部２９は、識別情報サーバ３０に対して識別情報の発行要求を送信する。また、画像形成装置４０に対して媒体に対する画像の印刷命令を送信する。更に、印刷文書に対する筆記がなされた際には、デジタルペン６０に対して筆記情報の登録結果を送信する。
【００２３】
次いで、本実施の形態の動作について説明する。
本実施の形態における動作は、大きく、印刷文書の出力と、印刷文書への筆記とに分けられるので、以下ではこれらを分けて説明する。
【００２４】
１−Ａ．印刷文書の出力
図４は、このときの文書サーバ２０及び識別情報サーバ３０の動作を示したシーケンス図である。
文書サーバ２０では、まず、受信部２１が、電子文書の印刷要求を端末装置１０から受信する(ステップ２０１)。このうち、電子文書の印刷要求には文書ＩＤと印刷設定とが含まれる。ここで、文書ＩＤとしては、例えば、ＵＲＬ(Uniform Resource Locator)を用いるとよいが、電子文書を一意に特定することができるものであれば他の情報を用いてもよい。また、印刷設定は、ページ、部数、用紙サイズ、Ｎアップ(電子文書のＮページを媒体の１ページに割り付ける印刷)、余白等の設定を含む。更に、本実施の形態では、ペン先属性を受信するが、ペン先属性とは、ページ上の領域ごとに指定されるものであり、その領域に筆記が行われた際に筆記情報に付与される属性である。例えば、筆記した線の色や太さ等、所謂線種と呼ばれるものがその代表例である。
受信部２１は、これらの情報を受信すると、文書ＩＤと印刷設定とを識別情報取得部２２に受け渡す。すると、識別情報取得部２２は、受け渡された文書ＩＤと印刷設定とを送信部２９に渡し、送信部２９が、これらの情報を識別情報サーバ３０に送信することで、識別情報の発行を要求する(ステップ２０２)。
【００２５】
これにより、識別情報サーバ３０は、文書ＩＤと印刷設定とを受信する(ステップ３０１)。そして、識別情報を管理するデータベースから未使用の識別情報を取り出す(ステップ３０２)。ここで、取り出される識別情報の数は、印刷設定に応じて決められる。つまり、基本的には、印刷するページ数に印刷部数を乗じて得られる数の識別情報が取り出される。但し、設定情報中に、Ｎアップの指定等がある場合は、それも考慮される。例えば、１０ページの電子文書を２アップで５部印刷する場合は、２５(＝１０÷２×５)個の識別情報が取り出される。
次に、識別情報サーバ３０は、識別情報と文書ＩＤと印刷設定とを関連付けて記憶しておく(ステップ３０３)。電子文書が印刷された印刷文書上の所定箇所がデジタルペン６０によって指示された場合に、元の電子文書の対応する箇所へアクセスできるようにするためである。これらの処理を行った後、識別情報サーバ３０は取り出した識別情報を文書サーバ２０に送信する(ステップ３０４)。
【００２６】
これにより、文書サーバ２０では、受信部２１が識別情報を受信する(ステップ２０３)。そして、受信部２１は、受信した識別情報を識別情報取得部２２に受け渡す。
すると、文書サーバ２０は、識別情報と位置情報と付加情報とを表す符号画像を生成する(ステップ２０４)。この符号画像の生成は、具体的には、次のような処理により行われる。
即ち、まず、識別情報取得部２２が、ステップ２０３で取得した識別情報を識別符号生成部２５ａに渡し、識別符号生成部２５ａが、識別情報を符号化することで識別符号を生成する。尚、識別情報の符号化の詳細については後述する。
また、位置符号生成部２５ｂは、受信部２１から印刷設定を受け取り、印刷設定に応じた範囲の位置情報を符号化することで位置符号を生成する。尚、位置情報の符号化の詳細についても後述する。
更に、付加符号生成部２５ｆは、受信部２１からペン先属性を受け取り、ペン先属性を表す付加情報を符号化することで付加符号を生成する。
その後、符号配置部２５ｃが、識別符号と位置符号と付加符号とを所定のレイアウトに従って配置し、これを符号画像生成部２５ｅが、パターン画像記憶部２５ｄに記憶されたパターン画像を用いて画像化することで符号画像を生成する。
【００２７】
また、文書サーバ２０では、文書画像生成部２６が、電子文書の文書画像を生成する(ステップ２０５)。その際、文書画像生成部２６は、ステップ２０１で識別情報取得部２２が取得した文書ＩＤを受け取り、これに基づいて対象となる電子文書を図示しない記憶手段から読み出す。また、ステップ２０１で識別情報取得部２２が取得した印刷設定を受け取り、これに基づいて文書画像を生成する。
そして、画像合成部２７は、ステップ２０４で生成された符号画像と、ステップ２０５で生成された文書画像とを合成し、合成画像を生成する(ステップ２０６)。
その後、合成画像は送信部２９に渡され、送信部２９が、合成画像の印刷命令を画像形成装置４０に送信する(ステップ２０７)。ここで、合成画像の印刷命令は、例えば、文書画像の印刷命令の列からなるＰＤＬ(Page Description Language)ファイルに対し、符号画像として印刷する内容をＰＤＬコマンドとして設定したＰＤＬの形式で送信される。
【００２８】
これにより、画像形成装置４０は、文書画像を例えばＣ(シアン)、Ｍ(マゼンタ)、Ｙ(イエロー)のトナーを用いて媒体に印刷する。また、符号画像を例えばＫ(カーボンを含む黒)のトナー又は特殊トナーを用いて媒体に印刷する。
ここで、特殊トナーとしては、可視光領域(４００ｎｍ〜７００ｎｍ)における最大吸収率が７％以下であり、近赤外領域(８００ｎｍ〜１０００ｎｍ)における吸収率が３０％以上の不可視トナーが例示される。ここで、「可視」及び「不可視」は、目視により認識できるかどうかとは関係しない。印刷文書における画像が可視光領域における特定の波長の吸収に起因する発色性の有無により認識できるかどうかで「可視」と「不可視」とを区別している。また、可視光領域における特定の波長の吸収に起因する発色性が若干あるが人間の目で認識し難いものも、「不可視」に含める。
【００２９】
尚、ここでは、電子文書の画像に符号画像を合成して印刷することとしたが、白紙(ノートや付箋等)に符号画像を印刷する構成としてもよい。その場合は、ステップ２０１で受信する印刷要求に文書ＩＤを含めないようにし、ステップ３０３で識別情報と文書ＩＤ及び印刷設定との関連付けを行わないようにし、ステップ２０５における文書画像の生成は実行しないようにすればよい。
【００３０】
次に、本実施の形態で生成される符号画像について説明する。
図５は、符号画像を構成する画像等の一例を示した図である。
まず、符号画像を構成する単位パターンについて説明する。
図５(ａ)は、単位パターンの一例を示したものである。
単位パターンとは、情報埋め込みの最小単位である。図では、黒塗りの領域と斜線の領域をドット配置可能な領域とし、その間にある白色の領域をドット配置不可能な領域としている。そして、ドット配置可能な領域のうち、黒塗りの領域にドットが配置され、斜線の領域にはドットが配置されていないことを示している。即ち、図は、ドットを配置可能な９箇所の中から選択した２箇所にドットを配置することで単位パターンを構成した例を示したものである。ここで、９箇所の中から２箇所を選択する組み合わせは３６(＝９Ｃ２)通りなので、単位パターンは、３６種類存在する。このうち、４種類の単位パターンは、同期パターンとして使用される。同期パターンとは、画像の回転を検出したり、識別符号及び位置符号の相対的な位置を特定したりするためのパターンである。特に、画像の回転を検出する必要があることから、４種類の同期パターンとしては、そのうちの１つの同期パターンを９０度回転するとそのうちの別の同期パターンになるようなものが選ばれる。また、この４種類の単位パターンを除く３２種類の単位パターンは、識別符号及び位置符号を表現する情報パターンとして使用され、５ビットの情報が表現される。
【００３１】
ところで、図５(ａ)に示したドットは、あくまで情報表現のためのドットであり、画像を構成する最小の点を意味するドットとは必ずしも一致しない。本実施の形態において、情報表現のためのドット(図５(ａ)の最小の四角)は、６００ｄｐｉにおける２ドット×２ドットの大きさを有している。６００ｄｐｉにおける１ドットの大きさは０．０４２３ｍｍなので、情報表現のためのドット(図５(ａ)の最小の四角)の一辺は、８４．６μｍ(＝０．０４２３ｍｍ×２)である。情報表現のためのドットは、大きくなればなるほど目に付きやすくなるため、できるだけ小さいほうが好ましい。ところが、あまり小さくすると、プリンタで印刷できなくなってしまう。そこで、情報表現のためのドットの大きさとして、５０μｍより大きく１００μｍより小さい上記の値を採用している。但し、上記の値８４．６μｍは、あくまで計算上の数値であり、実際に印刷されたトナー像では１００μｍ程度になる。尚、本明細書で「ドット」というときは、特に明示しない限り、画像を構成する最小の点を意味するドットではなく、情報表現のためのドットを指すものとする。
【００３２】
次に、このような単位パターンから構成される符号ブロックについて説明する。
図５(ｂ)に、符号ブロックのレイアウトの一例を示す。尚、ここでは、画像ではなく、パターン画像によって置き換えられる直前の符号配列で示している。即ち、図５(ｂ)の最小の四角(以下、「単位ブロック」という)に、図５(ａ)のような単位パターン(３６通りの単位パターンのいずれか)が配置され、その画像が媒体に形成されることになる。
図５(ｂ)のレイアウトでは、符号ブロックの左上の１つの単位ブロックに、同期符号が配置されている。また、同期符号が配置された単位ブロックの右側の４つの単位ブロックにＸ位置符号が配置され、同期符号が配置された単位ブロックの下側の４つの単位ブロックにＹ位置符号が配置されている。更に、これらの位置符号が配置された単位ブロックに囲まれた１６(＝４×４)個の単位ブロックのうち、右下の４(＝２×２)個の単位ブロックを除く部分に識別符号が配置されている。そして、この除かれた４(＝２×２)個の単位ブロックには、識別情報や位置情報以外の付加情報を符号化した付加符号が配置されている。
【００３３】
ここで、識別情報の符号化について述べる。
識別情報を符号化する場合、識別情報を構成するビット列は、ＲＳ符号化を行うために複数のブロックに分割される。符号化には、いくつかの方法が利用できるが、本実施の形態では、ＲＳ符号化が適している。ＲＳ符号は多値の符号法であり、この場合、単位ブロックで表現される値がＲＳ符号の多値に対応するからである。例えば、１つの単位ブロックで５ビットの情報を表現する場合、６０ビットの識別情報は、ブロック長が５ビットの１２個のブロックに分割される。そして、２ブロックの誤りを訂正可能なＲＳ符号を採用したとすると、符号長は１６ブロックとなり、図５(ｂ)の符号ブロックにおける識別符号が配置される単位ブロックに収まることになる。尚、符号化方式はＲＳ符号に限定するものでなく、その他の符号化方式、例えば、ＢＣＨ符号等を使用してもよい。
【００３４】
次に、位置情報の符号化について述べる。
位置情報の符号化には、擬似乱数系列の一種であるＭ系列符号が使用される。ここで、Ｍ系列とは、Ｋ段の線形シフトレジスタで発生できる最大周期の系列であり、２Ｋ−１の系列長をもつ。このＭ系列から取り出した任意の連続したＫビットは、同じＭ系列中の他の位置に現れない性質を持つ。そこで、この性質を利用して位置情報を符号化する。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。即ち、固定のＭ系列を予め生成しておき、それをメモリ等に格納しておけばよい。
例えば、系列長８１９１のＭ系列(Ｋ＝１３)を使用したとする。この場合、位置符号も５ビット単位で埋め込むため、系列長８１９１のＭ系列から５ビットずつ取り出してブロック化する。
【００３５】
尚、本明細書では、説明を簡単にするために、識別情報と位置情報とは明確に区別して用いている。しかしながら、広範な位置情報を用意しておき、媒体ごとに異なる範囲から位置情報を切り出して埋め込み、位置情報の違いによって媒体を識別するという手法もある。そこで、このような手法においては、媒体を識別する機能が位置情報に備わっているものと見て、位置情報を識別情報としても考えるものとする。
【００３６】
１−Ｂ．印刷文書への筆記
本実施の形態では、印刷文書に対する筆記情報がデジタルペン６０から通信装置７０を介して端末装置５０に伝えられ、文書サーバ２０へ登録される。
そこで、まず、デジタルペン６０の機構について説明する。
図６は、デジタルペン６０の構成例を示した図である。
図示するように、デジタルペン６０は、ペン全体の動作を制御する制御回路６１を備える。また、制御回路６１は、読み取った符号画像を処理する画像処理部６１ａと、そこでの処理結果から識別情報及び位置情報を抽出するデータ処理部６１ｂとを含む。
また、制御回路６１には、デジタルペン６０による筆記動作をペンチップ６９に加わる圧力によって検出する圧力センサ６２が接続されている。更に、媒体上に赤外光を照射する赤外ＬＥＤ６３と、反射光を検知することによって符号画像を読み取る赤外ＣＭＯＳ６４も接続されている。更にまた、識別情報、位置情報、付加情報を記憶するための情報メモリ６５と、外部装置と通信するための通信回路６６と、ペンを駆動するためのバッテリ６７と、ペンの識別情報(ペンＩＤ)を記憶するペンＩＤメモリ６８も接続されている。
【００３７】
次に、このうち制御回路６１において実現される機能構成について更に詳細に説明する。
図７は、制御回路６１の機能構成例を示したブロック図である。尚、図では、制御回路６１内の画像処理部６１ａとデータ処理部６１ｂとに分けて、機能構成例を示している。
図示するように、画像処理部６１ａは、画像取得部６１１と、ドット配列生成部６１２とを備える。また、データ処理部６１ｂは、符号配列生成部６１３と、識別情報取得部６１４と、位置情報取得部６１５と、筆記情報生成部６１６と、付加情報取得部６１７と、送信部６１９とを備える。
【００３８】
画像取得部６１１は、赤外ＣＭＯＳ６４が印刷文書から読み取った符号画像を取得する。また、必要に応じて、符号画像に含まれるノイズを除去する。
ドット配列生成部６１２は、符号画像におけるドットの位置を参照して、ドット配列を生成する。即ち、２次元の配列上で、例えば、ドットがある位置に「１」を、ドットがない位置に「０」を記憶することにより、画像として検出したドットをデジタルデータに置き換える。そして、この２次元の配列をドット配列として出力する。
【００３９】
符号配列生成部６１３は、ドット配列上で、符号ブロック内の単位パターンに対応するブロックを検出する。具体的には、単位パターンが配置されるブロックと同じ形状及び大きさの枠をドット配列上で動かし、枠内のドット数が均等になる位置で枠を固定する。例えば、図５(ａ)の単位パターンを用いる場合であれば、３ドット×３ドットに対応する大きさの枠を動かし、枠内に含まれるドット数が２となる位置で枠を固定する。そして、その枠で区切られた各ブロック内のドット位置から定まる符号値を格納した符号配列を生成する。また、この符号配列が生成されると、予め定められた同期符号の符号値を検索することによって、同期符号の位置が特定される。
【００４０】
識別情報取得部６１４は、符号配列から同期符号の位置を基準にして識別符号を検出する。そして、画像生成時にＲＳ符号化処理で用いたパラメータを用いて識別符号を復号し、識別情報を取得する。
位置情報取得部６１５は、符号配列から同期符号の位置を基準にして位置符号を検出する。そして、位置符号からＭ系列の部分系列を取り出し、画像生成時に使用したＭ系列におけるこの部分系列の位置を参照し、この位置を同期符号によるオフセットで補正した値を位置情報として取得する。尚、オフセットで補正するのは、位置符号の間に同期符号が配置されているためである。
【００４１】
筆記情報生成部６１６は、位置情報取得部６１５が取得した位置情報を連結して筆記情報を生成する。ここで、筆記情報には、少なくともデジタルペン６０のペン先の軌跡を電子化したデータが含まれるが、これ以外の情報を含んでもよい。ペン先の軌跡以外の情報としては、例えば、筆記した時にペンに設定されていた色の情報や、筆圧の情報等がある。
付加情報取得部６１７は、符号配列から同期符号の位置を基準にして付加符号を検出する。そして、画像生成時における符号化処理で用いたパラメータを用いて付加符号を復号し、付加情報を取得する。
送信部６１９は、識別情報取得部６１４が取得した識別情報と、筆記情報生成部６１６が生成した筆記情報と、付加情報取得部６１７が取得した付加情報とを通信回路６６に受け渡すことで、通信装置７０への情報送信を実現する。
【００４２】
次に、デジタルペン６０が筆記情報を生成して文書サーバ２０に登録する際の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。
【００４３】
図８は、その後のデジタルペン６０及び文書サーバ２０の動作を示したシーケンス図である。
デジタルペン６０は、識別情報と、筆記情報と、付加情報とを取得する(ステップ６５１)。具体的には、次のような処理を行う。即ち、まず、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆記情報生成部６１６が、位置情報を連結して筆記情報を生成する。更に、本実施の形態では、付加情報取得部６１７が、同期符号の位置に基づいて付加符号を検出し、これを復号して付加情報を取得する。
【００４４】
そして、送信部６１９が、これらの情報を通信装置７０及び端末装置５０を介して文書サーバ２０へ送信する(ステップ６５２)。尚、このとき、電子文書を管理する文書サーバ２０が複数存在する場合は、識別情報を識別情報サーバ３０へ送信してその識別情報に対応付けられた文書ＩＤを取得し、これに基づいて、送信先の文書サーバ２０を特定すればよい。
【００４５】
これにより、文書サーバ２０では、まず、受信部２１が、識別情報、筆記情報、付加情報を受信する(ステップ２５１)。次に、これらの情報は筆記情報登録部２３に渡され、筆記情報登録部２３が、渡された付加情報によって示されるペン先属性を決定する(ステップ２５２)。そして、渡された筆記情報を、渡された識別情報に対応する文書ＩＤと、ステップ２５２で決定されたペン先属性とに関連付けて、筆記情報記憶部２４に記憶する(ステップ２５３)。この筆記情報の登録処理が正常終了すると、筆記情報登録部２３は、その旨を送信部２９に伝え、送信部２９が、筆記情報の登録報告をデジタルペン６０に送信する(ステップ２５４)。
そして、デジタルペン６０は、筆記情報の登録報告を受信する(ステップ６５３)。
【００４６】
以上により、本実施の形態の動作の説明を終了する。
尚、本実施の形態では、ペン先属性を付加情報として媒体に埋め込み、媒体への筆記がなされた際にはこの付加情報によって示されるペン先属性を筆記情報に付与するようにしたが、ペン先属性を媒体に埋め込まない構成も考えられる。その場合は、媒体上の位置(例えば、領域)を特定する位置情報と、その位置における筆記情報に付与する属性を決定するための位置属性の一例としてのペン先属性との対応関係を定義しておき、媒体への筆記がなされた際には、媒体から取得した埋め込み情報の一例である位置情報に対応付けられたペン先属性を筆記情報に付与するようにするとよい。この場合、文書サーバ２０は、受信部２１が媒体上の位置及び位置属性の指定を受け付ける受付手段として機能し、媒体上の位置と位置属性との対応関係を生成する生成手段が新たに設けられた構成となる。
【００４７】
また、本実施の形態では、媒体上の領域ごとにペン先属性を設定するようにしたが、１つの媒体に対して１つのペン先属性を設定し、媒体ごとにペン先属性を異ならせるようにしてもよい。その場合は、まず、１つの媒体に同じペン先属性を付加情報として埋め込む構成が考えられる。また、媒体の識別情報と、その媒体における筆記情報に付与すべきペン先属性との対応関係を定義しておき、媒体への筆記がなされた際には、媒体から取得した埋め込み情報の一例である識別情報に対応付けられたペン先属性を筆記情報に付与する構成を採用してもよい。
【００４８】
＜第２の実施の形態＞
本実施の形態では、前述した通り、媒体上の領域とデジタルペン６０のペンタイプの組み合わせによって、ペン先属性を決定する。具体的には、文書サーバ２０が、印刷文書の出力時に印刷文書に対して各領域の意味付けの設定を行い、印刷文書に対して筆記がなされた際にその設定と筆記に用いられたデジタルペン６０のペンタイプとに基づいてペン先属性を決定する。
このように、本実施の形態でも、文書サーバ２０が中心となって動作するので、まず、文書サーバ２０の構成について説明する。
【００４９】
図９は、文書サーバ２０の機能構成例を示したブロック図である。
図示するように、文書サーバ２０は、受信部２１と、識別情報取得部２２と、筆記情報登録部２３と、筆記情報記憶部２４とを備える。また、識別符号生成部２５ａと、位置符号生成部２５ｂと、符号配置部２５ｃと、パターン画像記憶部２５ｄと、符号画像生成部２５ｅと、付加符号生成部２５ｆとを備える。更に、文書画像生成部２６と、画像合成部２７と、ペン先属性決定情報記憶部２８と、送信部２９とを備える。
【００５０】
受信部２１は、端末装置１０から印刷要求を受信する。ここで、印刷要求に含まれる情報は、第１の実施の形態と同様である。また、受信部２１は、識別情報サーバ３０から識別情報を受信する。更に、印刷文書に対する筆記がなされた際には、デジタルペン６０から、印刷文書に埋め込まれた識別情報と、印刷文書に対する筆記の内容を電子化した筆記情報と、印刷文書に付加的に埋め込まれた付加情報と、デジタルペン６０の識別情報(以下、「ペンＩＤ」という)を受信する。ここで、本実施の形態において、付加情報とは、印刷文書上の領域ごとの意味付け、即ち、領域の属性(以下、「領域属性」という)を表す情報である。尚、本実施の形態では、筆記情報を取得する第１の取得手段、デジタルペンを識別するペン情報(ペンＩＤやペンタイプ等)を取得する第２の取得手段、及び、位置情報を取得する第３の取得手段の一例として、受信部２１を設けている。
【００５１】
識別情報取得部２２は、受信部２１から文書ＩＤ及び印刷設定を取得し、これを送信部２９に渡して識別情報の発行要求の送信を指示すると共に、これを文書画像生成部２６に渡して文書画像の生成を指示する。また、受信部２１から識別情報を取得し、これを識別符号生成部２５ａに渡して識別符号の生成を指示する。
筆記情報登録部２３は、受信部２１が受信した筆記情報を文書ＩＤに関連付けて登録する。その際、受信部２１が受信した付加情報とペン先属性決定テーブルとに基づいて決定される属性も筆記情報に関連付けて記憶する。尚、本実施の形態では、筆記情報の属性をペン情報に応じて決定する決定手段の一例として、筆記情報登録部２３を設けている。
筆記情報記憶部２４は、筆記情報登録部２３によって登録される筆記情報を記憶する。尚、本実施の形態では、筆記情報を属性に関連付けて記憶する記憶手段の一例として、筆記情報記憶部２４を設けている。
【００５２】
識別符号生成部２５ａ、位置符号生成部２５ｂ、符号配置部２５ｃ、パターン画像記憶部２５ｄ、符号画像生成部２５ｅ、付加符号生成部２５ｆ、文書画像生成部２６、画像合成部２７は、第１の実施の形態で述べたものと同様であるので、ここでは詳しい説明を省略する。
ペン先属性決定情報記憶部２８は、ペン先属性を決定するために用いられるペン先属性決定情報を記憶する。ここで、ペン先属性決定情報とは、例えば、ペンＩＤからペンタイプを決定する際に参照されるペンタイプ決定テーブルと、領域属性とペンタイプとからペン先属性を決定する際に参照されるペン先属性決定テーブルとを含む。
送信部２９は、識別情報サーバ３０に対して識別情報の発行要求を送信する。また、画像形成装置４０に対して媒体に対する画像の印刷命令を送信する。更に、印刷文書に対する筆記がなされた際には、デジタルペン６０に対して筆記情報の登録結果を送信する。
【００５３】
ここで、ペン先属性決定情報の一例であるペンタイプ決定テーブル及びペン先属性決定テーブルの具体的な内容について説明する。
図１０に、これらのテーブルの具体的な内容の例を示す。
このうち、図１０(ａ)は、ペンタイプ決定テーブルの具体的な内容を例示する図である。
ここでは、ペンタイプとペンＩＤとの対応関係がペンタイプ決定テーブルに記憶されている。具体的には、ペンＩＤ「Ｐ００１」、「Ｐ００２」、「Ｐ００３」のデジタルペン６０はペンタイプ「Ａ」であり、ペンＩＤ「Ｐ９０１」、「Ｐ９０２」、「Ｐ９０３」のデジタルペン６０はペンタイプ「Ｂ」であることが定義されている。
【００５４】
また、図１０(ｂ)は、ペン先属性決定テーブルの具体的な内容を例示する図である。
ここでは、領域属性とペンタイプとペン先属性との対応関係がペン先属性決定テーブルに記憶されている。具体的には、領域属性「名前欄」の領域に対して、ペンタイプ「Ａ」のデジタルペン６０で筆記するとペン先属性が「黒、太字」となり、ペンタイプ「Ｂ」のデジタルペン６０で筆記するとペン先属性が「黒、細字」となることが定義されている。また、領域属性「解答欄」の領域に対して、ペンタイプ「Ａ」のデジタルペン６０で筆記するとペン先属性が「黒、細字」となり、ペンタイプ「Ｂ」のデジタルペン６０で筆記するとペン先属性が「赤、細字」となることが定義されている。
【００５５】
次いで、本実施の形態の動作について説明する。
本実施の形態における動作も、大きく、印刷文書の出力と、印刷文書への筆記とに分けられるので、以下ではこれらを分けて説明する。
【００５６】
２−Ａ．印刷文書の出力
このときの文書サーバ２０及び識別情報サーバ３０の動作は、第１の実施の形態で説明したものとほぼ同様であるので、ここでの詳細な説明は省略する。
但し、本実施の形態では、ステップ２０１(図４参照)において、受信部２１が、ペン先属性ではなく領域属性を受信する。ここで、領域属性とは、ページ上の領域ごとに指定されるものであり、その領域の意味付けを表す属性である。また、本実施の形態では、ステップ２０４(図４参照)において、付加符号生成部２５ｆが、領域属性を表す付加情報を符号化することで付加符号を生成する。
尚、本実施の形態で生成される符号画像や情報の符号化の手法は、第１の実施の形態で図５を参照して説明したものと同様なので、ここでは説明を省略する。
【００５７】
２−Ｂ．印刷文書への筆記
本実施の形態では、印刷文書に対する筆記情報がデジタルペン６０から通信装置７０を介して端末装置５０に伝えられ、文書サーバ２０へ登録される。
ここで、デジタルペン６０の全体構成は、第１の実施の形態で図６を参照して説明したものと同様なので、ここでは説明を省略する。
また、デジタルペン６０の制御回路６１(図６参照)において実現される機能構成は、第１の実施の形態で図７を参照して説明したものと同様なので、ここでは説明を省略する。
【００５８】
次に、デジタルペン６０が筆記情報を生成して文書サーバ２０に登録する際の動作について説明する。
デジタルペン６０では、まず、赤外ＬＥＤ６３が媒体に対して赤外光を照射し、赤外ＣＭＯＳ６４がその反射光を受光することにより、符号画像を読み取る。そして、画像取得部６１１がこの読み取った符号画像を取得する。そして、符号画像にノイズが含まれていれば、これを除去する。次に、ドット配列生成部６１２が、符号画像に含まれるドット位置をデジタルデータ化し、ドット配列を生成する。
【００５９】
図１１は、その後のデジタルペン６０及び文書サーバ２０の動作を示したシーケンス図である。
デジタルペン６０は、識別情報と、筆記情報と、付加情報と、ペンＩＤとを取得する(ステップ６６１)。具体的には、次のような処理を行う。即ち、まず、符号配列生成部６１３が、ドット配列からブロックを検出し、ブロックごとの符号値を格納した符号配列を生成する。そして、符号配列において、同期符号の位置を特定する。その後、識別情報取得部６１４が、同期符号の位置に基づいて識別符号を検出し、これを復号して識別情報を取得する。また、位置情報取得部６１５が、同期符号の位置に基づいて位置符号を検出し、これを復号して位置情報を取得する。そして、筆記情報生成部６１６が、位置情報を連結して筆記情報を生成する。更に、本実施の形態では、付加情報取得部６１７が、同期符号の位置に基づいて付加符号を検出し、これを復号して付加情報を取得する。更にまた、図示しないペンＩＤ取得部が、ペンＩＤメモリ６８(図６参照)からペンＩＤを取得する。
【００６０】
そして、送信部６１９が、これらの情報を通信装置７０及び端末装置５０を介して文書サーバ２０へ送信する(ステップ６６２)。尚、このとき、電子文書を管理する文書サーバ２０が複数存在する場合は、識別情報を識別情報サーバ３０へ送信してその識別情報に対応付けられた文書ＩＤを取得し、これに基づいて、送信先の文書サーバ２０を特定すればよい。
【００６１】
これにより、文書サーバ２０では、まず、受信部２１が、識別情報、筆記情報、付加情報、ペンＩＤを受信する(ステップ２６１)。次に、これらの情報は筆記情報登録部２３に渡され、筆記情報登録部２３が、渡されたペンＩＤをキーとして、ペン先属性決定情報記憶部２８に記憶されたペンタイプ決定テーブルを検索することにより、ペンＩＤに対応するペンタイプを決定する(ステップ２６２)。また、渡された付加情報によって示される領域属性と、ステップ２６２で決定されたペンタイプとをキーとして、ペン先属性決定テーブルを検索することにより、ペン先属性を決定する(ステップ２６３)。そして、渡された筆記情報を、渡された識別情報に対応する文書ＩＤと、ステップ２６３で決定されたペン先属性とに関連付けて、筆記情報記憶部２４に記憶する(ステップ２６４)。この筆記情報の登録処理が正常終了すると、筆記情報登録部２３は、その旨を送信部２９に伝え、送信部２９が、筆記情報の登録報告をデジタルペン６０に送信する(ステップ２６５)。
そして、デジタルペン６０は、筆記情報の登録報告を受信する(ステップ６６４)。
【００６２】
以上により、本実施の形態の動作の説明を終了する。
尚、本実施の形態では、領域属性を付加情報として媒体に埋め込み、媒体への筆記がなされた際にはこの付加情報によって示される領域属性を用いて筆記情報に付与する属性を決定するようにしたが、領域属性を媒体に埋め込まない構成も考えられる。その場合は、媒体上の位置(例えば、領域)を特定する位置情報と、その位置における筆記情報に付与する属性を決定するための位置属性の一例としての領域属性との対応関係を定義しておき、媒体への筆記がなされた際には、媒体から取得した埋め込み情報の一例である位置情報に対応付けられた領域属性を用いて筆記情報に付与する属性を決定するようにするとよい。この場合、文書サーバ２０は、受信部２１が媒体上の位置及び位置属性の指定を受け付ける受付手段として機能し、媒体上の位置と位置属性との対応関係を生成する生成手段が新たに設けられた構成となる。
【００６３】
また、本実施の形態では、媒体上の領域ごとに領域属性を設定するようにしたが、１つの媒体に対して１つの領域属性を設定し、媒体ごとに領域属性を異ならせるようにしてもよい。その場合は、まず、１つの媒体に同じ領域属性を付加情報として埋め込む構成が考えられる。また、媒体の識別情報と、その媒体における筆記情報に付与する属性を決定するために用いる領域属性との対応関係を定義しておき、媒体への筆記がなされた際には、媒体から取得した埋め込み情報の一例である識別情報に対応付けられた領域属性を用いて筆記情報に付与する属性を決定する構成を採用してもよい。
更に、本実施の形態では、領域属性とペンタイプの組み合わせによって筆記情報の属性を決定するようにしたが、領域属性を考慮せず、ペンタイプのみによって筆記情報の属性を決定するようにしてもよい。また、複数のペンＩＤに対応するペンタイプによって筆記情報の属性を決定するのではなく、個々のペンＩＤによって筆記情報の属性を決定する構成としてもよい。
【００６４】
ところで、本実施の形態では、文書サーバ２０が、印刷文書の出力時における情報の生成処理(文書画像と符号画像との合成画像の生成処理、位置情報と位置属性との対応関係の生成処理)や、印刷文書への筆記時における筆記情報の登録処理を行った。しかしながら、これらの処理を如何なる装置で行うかについては種々のバリエーションが考えられる。例えば、印刷文書の出力時における情報の生成処理は、端末装置１０で行ってもよいし、識別情報サーバ３０で行ってもよいし、画像形成装置４０で行ってもよい。また、印刷文書への筆記時における筆記情報の登録処理は、デジタルペン６０で行ってもよいし、通信装置７０で行ってもよいし、端末装置５０で行ってもよいし、識別情報サーバ３０で行ってもよい。
そこで、これらの処理をコンピュータ９０で行うものとして、コンピュータ９０のハードウェア構成について説明する。
【００６５】
図１２は、コンピュータ９０のハードウェア構成を示した図である。
図示するように、コンピュータ９０は、演算手段であるＣＰＵ(Central Processing Unit)９１と、記憶手段であるメインメモリ９２及び磁気ディスク装置(ＨＤＤ：Hard Disk Drive)９３とを備える。ここで、ＣＰＵ９１は、ＯＳ(Operating System)やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ/Ｆ９４と、ビデオメモリやディスプレイ等からなる表示機構９５と、キーボードやマウス等の入力デバイス９６とを備える。
【００６６】
尚、本実施の形態を実現するプログラムは、通信手段により提供することはもちろん、ＣＤ−ＲＯＭ等の記録媒体に格納して提供することも可能である。
【図面の簡単な説明】
【００６７】
【図１】本発明の実施の形態が適用されるシステム構成を示した図である。
【図２】本発明の実施の形態における動作の概要を示した図である。
【図３】本発明の第１の実施の形態における文書サーバの機能構成を示したブロック図である。
【図４】本発明の実施の形態における印刷文書出力時の動作を示したシーケンス図である。
【図５】本発明の実施の形態で生成される符号画像の例を示した図である。
【図６】本発明の実施の形態におけるデジタルペンの全体構成を示した図である。
【図７】本発明の実施の形態におけるデジタルペンの制御回路の機能構成を示したブロック図である。
【図８】本発明の第１の実施の形態における印刷文書への筆記時の動作を示したシーケンス図である。
【図９】本発明の第２の実施の形態における文書サーバの機能構成を示したブロック図である。
【図１０】本発明の第２の実施の形態で参照されるペン先属性決定情報の例を示した図である。
【図１１】本発明の第２の実施の形態における印刷文書への筆記時の動作を示したシーケンス図である。
【図１２】本発明の実施の形態を実現可能なコンピュータのハードウェア構成図である。
【符号の説明】
【００６８】
１０，５０…端末装置、２０…文書サーバ、３０…識別情報サーバ、４０…画像形成装置、６０…デジタルペン、８０…ネットワーク
【図１】
2008181173.tif 000003
【図２】
2008181173.tif 000004
【図３】
2008181173.tif 000005
【図４】
2008181173.tif 000006
【図５】
2008181173.tif 000007
【図６】
2008181173.tif 000008
【図７】
2008181173.tif 000009
【図８】
2008181173.tif 000010
【図９】
2008181173.tif 000011
【図１０】
2008181173.tif 000012
【図１１】
2008181173.tif 000013
【図１２】
2008181173.tif 000014